(57)【特許請求の範囲】
【請求項１】
複数の火災警報器を備え、これら複数の火災警報器の間で電波を媒体とする無線信号を伝送する火災警報システムであって、
各火災警報器は、火災を感知する火災感知手段と、火災警報を報知する警報手段と、無線信号を送信する送信手段と、無線信号を受信する受信手段と、火災感知手段で火災を感知したときに警報手段に火災警報を報知させるとともに他の火災警報器に火災警報を報知させるための火災警報メッセージを含む無線信号を送信手段から送信させ、且つ受信手段により他の火災警報器から送信される無線信号を受信して前記火災警報メッセージを受け取ったときに警報手段に火災警報を報知させ、さらに受信手段を間欠的に起動し他の火災警報器から送信される無線信号を受信して火災警報メッセージを受け取ったときに警報手段に火災警報を報知させる制御手段と、電源供給用の電池と、操作入力を受け付ける操作入力受付手段とを具備し、
何れかの火災警報器から火災警報メッセージを含む無線信号が送信された場合、当該無線信号を受信した特定の火災警報器の制御手段が他の全ての火災警報器に対して火災警報メッセージを含む無線信号を送信手段から送信させ、
当該無線信号を受信手段で受信した前記他の火災警報器の制御手段は、無線信号を受信したことを確認するための応答メッセージを含む無線信号を送信手段から特定の火災警報器に対して送信させ、
当該特定の火災警報器の制御手段は、前記他の全ての火災警報器から送信される応答メッセージを含む無線信号を受信手段で受信した後に、一定周期の同期信号を送信手段から送信させ、
当該特定の火災警報器の制御手段は、他の火災警報器に対するメッセージを同期信号に含めて送信手段から送信させ、他の火災警報器の制御手段は、特定の火災警報器の送信手段から前記同期信号の送信が開始された後、当該同期信号によって規定される複数のタイムスロットのうちで自己に割り当てられている特定のタイムスロットに無線信号を格納して送信手段から送信させ、
各火災警報器の制御手段は、操作入力受付手段で火災警報を停止させるための操作入力が受け付けられたときに警報手段による火災警報の報知を停止させるとともに火災警報の報知停止を通知するための警報停止メッセージを含む無線信号を送信手段から送信させ、
当該無線信号を受信した特定の火災警報器では、制御手段が警報停止メッセージの送信元を含む他の全ての火災警報器に対して警報停止メッセージを含む無線信号を送信手段から送信させ、
当該無線信号を受信した他の火災警報器では、火災感知手段で火災を感知していなければ、制御手段が警報手段による火災警報の報知を停止させることを特徴とする火災警報システム。
【請求項２】
特定の火災警報器の制御手段は、前記他の全ての火災警報器から応答メッセージを含む無線信号が受信手段で受信できない場合、再度火災警報メッセージを含む無線信号を送信手段から送信させることを特徴とする請求項１記載の火災警報システム。
【請求項３】
特定の火災警報器の制御手段は、火災警報メッセージを含む無線信号を送信手段から所定回数以上送信させた場合、前記他の全ての火災警報器から応答メッセージを含む無線信号が受信手段で受信できたか否かに関わらず、前記同期信号を送信手段から送信させることを特徴とする請求項２記載の火災警報システム。
【請求項４】
特定の火災警報器の制御手段は、同期信号を送信手段から送信させておらず且つ自らの火災感知手段が火災を感知しておらず且つ他の何れの火災警報器からも火災警報メッセージを含む無線信号を受信していない場合においては、他の全ての火災警報器に対して定期監視メッセージを含む無線信号を定期的に送信手段から送信させ、
当該他の火災警報器の制御手段は、送信手段と受信手段を除く他の手段の故障の有無並びに電池切れの有無を監視しており、受信手段で前記定期監視メッセージを含む無線信号を受信した場合、故障の有無並びに電池切れの有無を通知する通知メッセージを含む無線信号を送信手段から送信させ、
特定の火災警報器の制御手段は、受信手段で受信する無線信号に含まれる前記通知メッセージに基づいて他の火災警報器における故障の有無及び電池切れの有無に関する異常情報を取得し、前記他の全ての火災警報器から応答メッセージを含む無線信号が受信手段で受信できない場合、火災警報メッセージを含む無線信号を、特定の火災警報器の送信手段から前記通知メッセージを送信しなかった他の火災警報器並びに通知メッセージで電池切れを通知してきた他の火災警報器の少なくとも何れか一方に対して再度送信させずに、前記同期信号を送信手段から送信させることを特徴とする請求項２又は３記載の火災警報システム。
【請求項５】
特定の火災警報器の制御手段は、同期信号を送信手段から送信させておらず且つ自らの火災感知手段が火災を感知しておらず且つ他の何れの火災警報器からも火災警報メッセージを含む無線信号を受信していない場合においては、他の全ての火災警報器に対して定期監視メッセージを含む無線信号を定期的に送信手段から送信させ、
当該他の火災警報器の制御手段は、送信手段と受信手段を除く他の手段の故障の有無並びに電池切れの有無を監視しており、受信手段で前記定期監視メッセージを含む無線信号を受信した場合、故障の有無並びに電池切れの有無を通知する通知メッセージを含む無線信号を送信手段から送信させ、
特定の火災警報器の制御手段は、受信手段で受信する無線信号に含まれる前記通知メッセージに基づいて他の火災警報器における故障の有無及び電池切れの有無に関する異常情報を取得し、前記他の全ての火災警報器から応答メッセージを含む無線信号が受信手段で受信できない場合、火災警報メッセージを含む無線信号を、特定の火災警報器の送信手段から前記通知メッセージを送信しなかった他の火災警報器並びに通知メッセージで電池切れを通知してきた他の火災警報器の少なくとも何れか一方に対して再度送信させる前記所定回数を減少させることを特徴とする請求項３記載の火災警報システム。
【請求項６】
特定の火災警報器の制御手段は、同期信号を送信手段から送信させておらず且つ自らの火災感知手段が火災を感知しておらず且つ他の何れの火災警報器からも火災警報メッセージを含む無線信号を受信していない場合においては、他の全ての火災警報器に対して定期監視メッセージを含む無線信号を定期的に送信手段から送信させ、
当該他の火災警報器の制御手段は、送信手段と受信手段を除く他の手段の故障の有無並びに電池切れの有無を監視しており、受信手段で前記定期監視メッセージを含む無線信号を受信した場合、故障の有無並びに電池切れの有無を通知する通知メッセージを含む無線信号を送信手段から送信させ、
特定の火災警報器の制御手段は、受信手段で受信する無線信号に含まれる前記通知メッセージに基づいて他の火災警報器における故障の有無及び電池切れの有無に関する異常情報を取得し、前記通知メッセージを送信しなかった他の火災警報器並びに通知メッセージで電池切れを通知してきた他の火災警報器の少なくとも何れか一方から応答メッセージを含む無線信号が受信手段で受信できたか否かに関わらず、前記同期信号を送信手段から送信させることを特徴とする請求項１〜５の何れか１項に記載の火災警報システム。
【請求項７】
各火災警報器の制御手段は、火災感知手段で火災を感知しなくなったときに警報手段による火災警報の報知を停止させるとともに火災警報の報知停止を通知するための復旧通知メッセージを含む無線信号を送信手段から送信させ、
当該無線信号を受信した特定の火災警報器では、制御手段が復旧通知メッセージの送信元を含む他の全ての火災警報器に対して復旧通知メッセージを含む無線信号を送信手段から送信させ、
当該無線信号を受信した他の火災警報器では、火災感知手段で火災を感知していなければ、制御手段が当該復旧通知メッセージに対する応答メッセージを含む無線信号を送信手段に送信させ、
当該特定の火災警報器の制御手段は、前記他の全ての火災警報器から送信される応答メッセージを含む無線信号を受信手段で受信した後に、送信手段による同期信号の送信を停止することを特徴とする請求項１〜６の何れか１項に記載の火災警報システム。
【請求項８】
特定の火災警報器の制御手段は、前記他の全ての火災警報器から応答メッセージを含む無線信号が受信手段で受信できない場合、再度復旧通知メッセージを含む無線信号を送信手段から送信させ、さらに当該無線信号を送信手段から所定回数以上送信させた場合、前記他の全ての火災警報器から応答メッセージを含む無線信号が受信手段で受信できたか否かに関わらず、送信手段による同期信号の送信を停止することを特徴とする請求項７記載の火災警報システム。
【請求項９】
特定の火災警報器を除く他の全ての火災警報器の制御手段は、受信手段で同期信号が受信できない期間が所定時間以上継続したときに受信手段を休止させることを特徴とする請求項１〜８の何れか１項に記載の火災警報システム。
【請求項１０】
特定の火災警報器の制御手段は、何れかの火災警報器から火災警報メッセージを含む無線信号が送信された場合、当該無線信号を受信した特定の火災警報器の制御手段が他の全ての火災警報器に対して火災警報メッセージを含む無線信号を送信手段から送信させ、前記他の全ての火災警報器から送信される応答メッセージを含む無線信号を受信手段で受信した後に、前記同期信号を送信手段から送信させることを特徴とする請求項１〜９の何れか１項に記載の火災警報システム。
【発明の詳細な説明】
【技術分野】
【０００１】
本発明は、複数の火災警報器が電波を媒体とする無線信号を送受信するようにした火災警報システムに関するものである。
【背景技術】
【０００２】
我が国で使用する無線局については、占有周波数帯幅や隣接チャンネル漏洩電力などの使用電波の特性（ＲＦ特性）が電波法の規定を満たしていなくてはならない。また、電波法では使用目的ごとに異なる規格（通信規格）が規定されている。例えば、電波法施行規則第６条に規定される「特定小電力無線局」には、電波を利用して遠隔地点における測定機の測定結果を自動的に表示し、又は記録するためのテレメータ用、電波を利用して遠隔地点における装置の機能を始動、変更又は終止させることを目的とする信号の伝送を行うテレコントロール用、及び主として機械によって処理される情報の伝送又は処理された情報の伝送を行うデータ伝送用無線設備について規定された「特定小電力無線局テレメータ用、テレコントロール用及びデータ伝送用無線設備 標準規格（社団法人電波産業会 標準規格ＡＲＩＢ ＳＴＤ−Ｔ６７）」、あるいは、主として火災、盗難その他異常の通報又はこれに付随する制御を行う小電力セキュリティシステムの無線設備について規定された「小電力セキュリティシステムの無線局の無線設備 標準規格（社団法人電波産業会 標準規格ＲＣＲ ＳＴＤ−３０）」などがある。
【０００３】
一方、住宅火災による犠牲者を減らすことを目的として住宅への火災警報器の設置義務が法制化されたため、既存住宅への施工性の観点から無線信号を利用して複数の火災警報器を連動させる火災警報システムが望まれている。かかる火災警報システムは、多箇所に設置された複数台の火災警報器（無線局）がそれぞれに火災を感知する機能と警報音を鳴動する機能を有しており、何れかの火災警報器が火災を感知すると、当該火災警報器が警報音を鳴動するとともに火災感知を知らせる情報（火災感知情報）を無線信号で他の火災警報器に伝送することにより、火元の火災警報器だけでなく複数台の火災警報器が連動して一斉に警報音を鳴動することにより、火災の発生を迅速且つ確実に知らせることができる。このような火災警報器は、火災感知情報を無線信号で伝送するという特性を活かすために電池を電源として駆動され、しかも、通常は室内の天井のようにメンテナンス（電池交換）のし難い場所に設置されることから、例えば数年といった長期間にわたってメンテナンス無しに使用できることが望ましい。
【０００４】
ここで、上述のような火災警報システムでは火災が感知されると複数の火災警報器の間で相互に無線信号が伝送されるのであるが、その際、各火災警報器が勝手に（非同期に）無線信号を送信すると無線信号が衝突してしまうことになる。このような衝突を回避するものとして、例えば、特許文献１には複数の火災警報器がＴＤＭＡ（時分割多重アクセス）方式で無線信号を伝送するようにした火災警報システムが記載されている。特許文献１に記載されている従来例では、各火災警報器が自器に割り当てられたタイムスロットに無線信号を格納して送信するため、上述のような衝突を回避することができる。
【先行技術文献】
【特許文献】
【０００５】
【特許文献１】特開２００６−３４３９８３号公報
【発明の概要】
【発明が解決しようとする課題】
【０００６】
ところで、特許文献１に記載されている従来例では、各火災警報器が常時ＴＤＭＡ方式で同期を取って無線信号を伝送しているため、少なくともタイムスロットを規定するための同期信号を定期的（例えば、数秒から数分間隔）に受信する必要がある。しかしながら、火災警報器が無線信号を伝送する機会は火災が発生したとき、あるいは、各火災警報器で電池切れが生じていないかの確認（生死確認）を行うときであって、想定される電池寿命（例えば、数年〜１０年程度）が過ぎるまでの間に一度も火災が発生しないこともあるし、生死確認についてもせいぜい１日に１回の頻度で実用上十分であるから、無線信号を送信している期間に比べて送信していない期間の方が遙かに長い。よって、特許文献１に記載されている従来例のように常時ＴＤＭＡ方式で同期を取って無線信号を伝送していたのでは、火災が発生しておらず且つ生死確認も行っていない定常時においても同期信号を絶えず送受信しなければならないことから、電池寿命が短くなってしまう。その一方で、一旦火災が感知されると各火災警報器同士が相対的に高い頻度で無線信号を伝送することになるから、無線信号の衝突によって情報伝送が遅延することは望ましくない。
【０００７】
本発明は上記事情に鑑みて為されたものであり、その目的は、電池寿命を延ばしつつ無線信号の衝突による情報伝送の遅延を減らすことができる火災警報システムを提供することにある。
【課題を解決するための手段】
【０００８】
本発明の火災警報システムは、複数の火災警報器を備え、これら複数の火災警報器の間で電波を媒体とする無線信号を伝送する火災警報システムであって、各火災警報器は、火災を感知する火災感知手段と、火災警報を報知する警報手段と、無線信号を送信する送信手段と、無線信号を受信する受信手段と、火災感知手段で火災を感知したときに警報手段に火災警報を報知させるとともに他の火災警報器に火災警報を報知させるための火災警報メッセージを含む無線信号を送信手段から送信させ、且つ受信手段により他の火災警報器から送信される無線信号を受信して前記火災警報メッセージを受け取ったときに警報手段に火災警報を報知させ、さらに受信手段を間欠的に起動し他の火災警報器から送信される無線信号を受信して火災警報メッセージを受け取ったときに警報手段に火災警報を報知させる制御手段と、電源供給用の電池と、操作入力を受け付ける操作入力受付手段とを具備し、何れかの火災警報器から火災警報メッセージを含む無線信号が送信された場合、当該無線信号を受信した特定の火災警報器の制御手段が他の全ての火災警報器に対して火災警報メッセージを含む無線信号を送信手段から送信させ、当該無線信号を受信手段で受信した前記他の火災警報器の制御手段は、無線信号を受信したことを確認するための応答メッセージを含む無線信号を送信手段から特定の火災警報器に対して送信させ、当該特定の火災警報器の制御手段は、前記他の全ての火災警報器から送信される応答メッセージを含む無線信号を受信手段で受信した後に、一定周期の同期信号を送信手段から送信させ、当該特定の火災警報器の制御手段は、他の火災警報器に対するメッセージを同期信号に含めて送信手段から送信させ、他の火災警報器の制御手段は、特定の火災警報器の送信手段から前記同期信号の送信が開始された後、当該同期信号によって規定される複数のタイムスロットのうちで自己に割り当てられている特定のタイムスロットに無線信号を格納して送信手段から送信させ、各火災警報器の制御手段は、操作入力受付手段で火災警報を停止させるための操作入力が受け付けられたときに警報手段による火災警報の報知を停止させるとともに火災警報の報知停止を通知するための警報停止メッセージを含む無線信号を送信手段から送信させ、当該無線信号を受信した特定の火災警報器では、制御手段が警報停止メッセージの送信元を含む他の全ての火災警報器に対して警報停止メッセージを含む無線信号を送信手段から送信させ、当該無線信号を受信した他の火災警報器では、火災感知手段で火災を感知していなければ、制御手段が警報手段による火災警報の報知を停止させることを特徴とする。
【０００９】
この火災警報システムにおいて、特定の火災警報器の制御手段は、前記他の全ての火災警報器から応答メッセージを含む無線信号が受信手段で受信できない場合、再度火災警報メッセージを含む無線信号を送信手段から送信させることが好ましい。
【００１０】
この火災警報システムにおいて、特定の火災警報器の制御手段は、火災警報メッセージを含む無線信号を送信手段から所定回数以上送信させた場合、前記他の全ての火災警報器から応答メッセージを含む無線信号が受信手段で受信できたか否かに関わらず、前記同期信号を送信手段から送信させることが好ましい。
【００１１】
この火災警報システムにおいて、特定の火災警報器の制御手段は、同期信号を送信手段から送信させておらず且つ自らの火災感知手段が火災を感知しておらず且つ他の何れの火災警報器からも火災警報メッセージを含む無線信号を受信していない場合においては、他の全ての火災警報器に対して定期監視メッセージを含む無線信号を定期的に送信手段から送信させ、当該他の火災警報器の制御手段は、送信手段と受信手段を除く他の手段の故障の有無並びに電池切れの有無を監視しており、受信手段で前記定期監視メッセージを含む無線信号を受信した場合、故障の有無並びに電池切れの有無を通知する通知メッセージを含む無線信号を送信手段から送信させ、特定の火災警報器の制御手段は、受信手段で受信する無線信号に含まれる前記通知メッセージに基づいて他の火災警報器における故障の有無及び電池切れの有無に関する異常情報を取得し、前記他の全ての火災警報器から応答メッセージを含む無線信号が受信手段で受信できない場合、火災警報メッセージを含む無線信号を、特定の火災警報器の送信手段から前記通知メッセージを送信しなかった他の火災警報器並びに通知メッセージで電池切れを通知してきた他の火災警報器の少なくとも何れか一方に対して再度送信させずに、前記同期信号を送信手段から送信させることが好ましい。
【００１２】
この火災警報システムにおいて、特定の火災警報器の制御手段は、同期信号を送信手段から送信させておらず且つ自らの火災感知手段が火災を感知しておらず且つ他の何れの火災警報器からも火災警報メッセージを含む無線信号を受信していない場合においては、他の全ての火災警報器に対して定期監視メッセージを含む無線信号を定期的に送信手段から送信させ、当該他の火災警報器の制御手段は、送信手段と受信手段を除く他の手段の故障の有無並びに電池切れの有無を監視しており、受信手段で前記定期監視メッセージを含む無線信号を受信した場合、故障の有無並びに電池切れの有無を通知する通知メッセージを含む無線信号を送信手段から送信させ、特定の火災警報器の制御手段は、受信手段で受信する無線信号に含まれる前記通知メッセージに基づいて他の火災警報器における故障の有無及び電池切れの有無に関する異常情報を取得し、前記他の全ての火災警報器から応答メッセージを含む無線信号が受信手段で受信できない場合、火災警報メッセージを含む無線信号を、特定の火災警報器の送信手段から前記通知メッセージを送信しなかった他の火災警報器並びに通知メッセージで電池切れを通知してきた他の火災警報器の少なくとも何れか一方に対して再度送信させる前記所定回数を減少させることが好ましい。
【００１３】
この火災警報システムにおいて、特定の火災警報器の制御手段は、同期信号を送信手段から送信させておらず且つ自らの火災感知手段が火災を感知しておらず且つ他の何れの火災警報器からも火災警報メッセージを含む無線信号を受信していない場合においては、他の全ての火災警報器に対して定期監視メッセージを含む無線信号を定期的に送信手段から送信させ、当該他の火災警報器の制御手段は、送信手段と受信手段を除く他の手段の故障の有無並びに電池切れの有無を監視しており、受信手段で前記定期監視メッセージを含む無線信号を受信した場合、故障の有無並びに電池切れの有無を通知する通知メッセージを含む無線信号を送信手段から送信させ、特定の火災警報器の制御手段は、受信手段で受信する無線信号に含まれる前記通知メッセージに基づいて他の火災警報器における故障の有無及び電池切れの有無に関する異常情報を取得し、前記通知メッセージを送信しなかった他の火災警報器並びに通知メッセージで電池切れを通知してきた他の火災警報器の少なくとも何れか一方から応答メッセージを含む無線信号が受信手段で受信できたか否かに関わらず、前記同期信号を送信手段から送信させることが好ましい。
【００１４】
この火災警報システムにおいて、各火災警報器の制御手段は、火災感知手段で火災を感知しなくなったときに警報手段による火災警報の報知を停止させるとともに火災警報の報知停止を通知するための復旧通知メッセージを含む無線信号を送信手段から送信させ、当該無線信号を受信した特定の火災警報器では、制御手段が復旧通知メッセージの送信元を含む他の全ての火災警報器に対して復旧通知メッセージを含む無線信号を送信手段から送信させ、当該無線信号を受信した他の火災警報器では、火災感知手段で火災を感知していなければ、制御手段が当該復旧通知メッセージに対する応答メッセージを含む無線信号を送信手段に送信させ、当該特定の火災警報器の制御手段は、前記他の全ての火災警報器から送信される応答メッセージを含む無線信号を受信手段で受信した後に、送信手段による同期信号の送信を停止することが好ましい。
【００１５】
この火災警報システムにおいて、特定の火災警報器の制御手段は、前記他の全ての火災警報器から応答メッセージを含む無線信号が受信手段で受信できない場合、再度復旧通知メッセージを含む無線信号を送信手段から送信させ、さらに当該無線信号を送信手段から所定回数以上送信させた場合、前記他の全ての火災警報器から応答メッセージを含む無線信号が受信手段で受信できたか否かに関わらず、送信手段による同期信号の送信を停止することが好ましい。
【００１６】
この火災警報システムにおいて、特定の火災警報器を除く他の全ての火災警報器の制御手段は、受信手段で同期信号が受信できない期間が所定時間以上継続したときに受信手段を休止させることが好ましい。
【００１７】
この火災警報システムにおいて、特定の火災警報器の制御手段は、何れかの火災警報器から火災警報メッセージを含む無線信号が送信された場合、当該無線信号を受信した特定の火災警報器の制御手段が他の全ての火災警報器に対して火災警報メッセージを含む無線信号を送信手段から送信させ、前記他の全ての火災警報器から送信される応答メッセージを含む無線信号を受信手段で受信した後に、前記同期信号を送信手段から送信させることが好ましい。
【発明の効果】
【００１８】
本発明の火災警報システムは、何れの火災警報器でも火災が感知されていないときは各火災警報器が非同期で無線信号を伝送し、何れかの火災警報器で火災が感知されて他の火災警報器に火災発生が通知されると特定の火災警報器が少なくとも１回の同期信号を送信し、当該特定の火災警報器は、他の火災警報器に対するメッセージを同期信号に含めて送信し、他の火災警報器は、当該同期信号によって規定されるタイムスロットに各火災警報器が割り当てられて無線信号を時分割多重伝送するので、火災が発生していないために無線信号を伝送する頻度が少ないときは非同期で無線信号を伝送することにより電力消費を抑えて電池寿命を延ばし、何れかの火災警報器で火災が感知されたとき、つまり、無線信号を伝送する頻度が相対的に高くなったときには無線信号を時分割多重伝送することで衝突を回避して情報伝送の遅延を減らすことができ、しかも、非同期通信と時分割多重伝送との切り換え時に特定の火災警報器を除く他の火災警報器から特定の火災警報器に対して無線信号の受信を確認するための応答メッセージを返信しているため、全ての火災警報器において確実に非同期通信と時分割多重伝送との切り換えが行われる。
【図面の簡単な説明】
【００１９】
【図１】本発明の実施形態における火災警報器（親局及び子局）のブロック図である。
【図２】同上における無線信号のフレームフォーマットである。
【図３】同上の待機状態から火災連動状態へ遷移する動作を説明するためのフローチャートである。
【図４】同上の連動鳴動状態から連動停止状態へ遷移する動作を説明するためのタイムチャートである。
【図５】同上の連動鳴動状態から連動停止状態へ遷移する動作を説明するためのタイムチャートである。
【図６】同上の火災連動状態から待機状態へ遷移する動作を説明するためのタイムチャートである。
【図７】同上の火災連動状態における動作を説明するためのタイムチャートである。
【図８】同上の火災連動状態における親局の動作を説明するためのフローチャートである。
【発明を実施するための形態】
【００２０】
以下、図面を参照して本発明の実施形態を詳細に説明する。
【００２１】
図１は本実施形態のシステム構成図であり、複数台（図示は２台のみ）の火災警報器ＴＲで火災警報システムが構成されている。なお、以下の説明では、火災警報器ＴＲを個別に示す場合は火災警報器ＴＲ１，ＴＲ２，…，ＴＲｎと表記し、総括して示す場合は火災警報器ＴＲと表記する。
【００２２】
火災警報器ＴＲは、アンテナ３から電波を媒体とした無線信号を送信するとともに他の火災警報器ＴＲが送信した無線信号をアンテナ３で受信する無線送受信部２と、音（ブザー音や音声メッセージなど）による火災警報（以下、「警報音」と呼ぶ。）を報知（スピーカから鳴動）する警報部５と、マイコンを主構成要素とし火災感知部４で火災を感知したときに警報部５に警報音を鳴動させるとともに他の火災警報器ＴＲに対して火災警報を報知させるための火災警報メッセージを含む無線信号を無線送受信部２より送信させる制御部１と、後述するように警報音の鳴動を停止するための操作入力などを受け付ける操作入力受付部６と、乾電池等の電池を電源として各部に動作電源を供給する電池電源部７とを具備している。操作入力受付部６は１乃至複数のスイッチ（例えば、押釦スイッチ）を有しており、スイッチが操作されることで各スイッチに対応した操作入力を受け付けるとともに当該操作入力に対応した操作信号を制御部１に出力する。なお、各火災警報器ＴＲ１，ＴＲ２，…には固有の識別符号が割り当てられており、当該識別符号によって無線信号の宛先並びに送信元の火災警報器ＴＲ１，ＴＲ２，…が特定できる。
【００２３】
無線送受信部２は、電波法施行規則第６条に規定される「特定小電力無線局」に準拠して電波を媒体とする無線信号を送受信するものである。また火災感知部４は、例えば、火災に伴って発生する煙や熱、炎などを検出することで火災を感知するものである。但し、無線送受信部２並びに火災感知部４の詳細な構成については、従来周知であるから詳細な説明は省略する。
【００２４】
制御部１は、メモリに格納されたプログラムをマイコンで実行することによって後述する各種の機能を実現している。火災感知部４で火災の発生が感知されると、制御部１は警報部５が備えるブザーを駆動して警報音を鳴動させたり、あるいは予めメモリ等に格納されている警報用の音声メッセージ（例えば、「火事です」など）をスピーカに鳴動させることで火災警報を報知するとともに、他の火災警報器ＴＲにおいても火災警報を報知させるため、火災警報メッセージを含む無線信号を無線送受信部２より送信させる。また、他の火災警報器ＴＲから送信された無線信号を無線送受信部２で受信することにより火災警報メッセージを受け取ったときも、制御部１は警報部５を制御して警報音を鳴動させる。つまり、制御部１では火災感知部４が火災を感知したときに警報部５から警報音を鳴動させて火災警報を報知するとともに火災警報メッセージを含む無線信号を無線送受信部２より送信させる機能を有している。
【００２５】
ここで、電波法施行規則第６条に規定される「特定小電力無線局」には、主として火災、盗難その他異常の通報又はこれに付随する制御を行う小電力セキュリティシステムの無線設備について規定された「小電力セキュリティシステムの無線局の無線設備 標準規格（社団法人電波産業会 標準規格ＲＣＲ ＳＴＤ−３０）」があり、当該標準規格では、無線信号を連続して送信してもよい期間（送信期間）が３秒以下、送信期間と送信期間の間に設けられた、無線信号を送信してはいけない期間（休止期間）が２秒以上と規定されている。このために本実施形態における制御部１では、上記標準規格に適合する送信期間に無線信号を送信させるとともに休止期間に送信を停止し且つ受信可能な状態としている。
【００２６】
また電池電源部７の電池寿命をできるだけ長くするため、制御部１ではマイコンに内蔵するタイマで所定の間欠受信間隔を繰り返しカウントするとともに間欠受信間隔のカウントが完了する毎に無線送受信部２を起動して所望の電波（他の火災警報器ＴＲが送信した無線信号）が受信できるか否かをチェックし、当該電波が捉えられなければ直ちに無線送受信部２を停止して待機状態に移行させることで平均消費電力を大幅に低減している。なお、電波の受信チェックは、無線送受信部２から出力される、受信信号強度の大小に比例した直流電圧信号である受信信号強度表示信号（Receiving Signal Strength Indication：ＲＳＳＩ信号）に基づいて制御部１が行っており、詳細については従来周知であるから省略する。
【００２７】
さらに特定の火災警報器ＴＲ１（以下、親局と呼ぶ。）の制御部１では、定期的（例えば、２４時間毎）に無線送受信部２を起動して他の火災警報器ＴＲ２，ＴＲ３，…（以下、子局と呼ぶ。）が正常に動作しているか否かの確認（定期監視）を行うために定期監視メッセージを含む無線信号を送信させる。子局ＴＲ２，…においては、制御部１が火災感知部４の故障の有無及び電池電源部７の電池切れの有無を一定周期で（例えば、１時間毎に）監視するとともに、その監視結果（故障の有無及び電池切れの有無）を図示しないメモリに記憶しており、親局ＴＲ１から定期監視メッセージを受け取ったときに、メモリに記憶している監視結果を通知するための通知メッセージを含む無線信号を親局ＴＲ１に返信する。親局ＴＲ１の制御部１は、通知メッセージを含む無線信号を送信した後、無線送受信部２を受信状態に切り換えて各火災警報器ＴＲ２，…から送信される無線信号を受信し、定期監視メッセージを含む無線信号を送信してから所定時間内に通知メッセージを含む無線信号を送信してこない子局ＴＲ２，…があったり、あるいは、何れかの子局ＴＲ２，…が送信してきた通知メッセージが故障有り若しくは電池切れ有りの監視結果を通知するものである場合に、警報部５が備えるブザーを駆動して報知音を鳴動させるなどして子局ＴＲ２，…に異常（通信不可や故障有り、電池切れなど）が発生したことを知らせる機能も有している。尚、親局ＴＲ１及び子局ＴＲ２，…の制御部１は、故障若しくは電池切れが生じていると判断した場合、直ちに警報部５から異常（故障若しくは電池切れ）の発生を知らせるための警告音（ブザー音や音声メッセージなど）を警報部５のスピーカから鳴動させるようになっている。
【００２８】
また親局ＴＲ１の制御部１は、火災感知部４が火災を感知して警報部５から警報音を鳴動させるとともに各子局ＴＲ２，…に火災警報メッセージを送信した後、若しくは何れかの子局ＴＲ２，…から火災警報メッセージを受信した後においては、無線送信部２に一定周期で同期信号を送信させる。この同期信号は、複数の火災警報器ＴＲ同士でＴＤＭＡ（時分割多元接続）方式の無線通信を行うために必要なタイムスロットを規定する信号であって、その１周期（サイクル）が複数のタイムスロットに分割され、全ての子局ＴＲ２，…にそれぞれ互いに異なるタイムスロットが１つずつ割り当てられる。そして、親局ＴＲ１から子局ＴＲ２，…へのメッセージは同期信号に含めて送信され、子局ＴＲ２，…から親局ＴＲ１へのメッセージを含む無線信号は、各子局ＴＲ２，…に割り当てられているタイムスロットに格納されて送信される。故に、複数台の火災警報器ＴＲ（親局ＴＲ１並びに子局ＴＲ２，…）から送信される無線信号の衝突を確実に回避することができる。なお、各火災警報器ＴＲに対するタイムスロットの割当は固定であってもよいが、親局ＴＲ１から送信する同期信号によってタイムスロットの割当情報を各子局ＴＲ２，…に通知しても構わない。
【００２９】
図２は火災警報器ＴＲが送受信する無線信号のフレームフォーマットを示しており、同期ビット（プリアンブル：ＰＡ）、フレーム同期パターン（ユニークワード：ＵＷ）、宛先アドレスＤＡ、送信元アドレスＳＡ、メッセージＭ、ＣＲＣ符号で１フレームが構成されている。ここで、宛先アドレスＤＡとして各火災警報器ＴＲの識別符号を設定すれば当該識別符号の火災警報器ＴＲのみが無線信号を受信してメッセージを取得することになるが、宛先アドレスＤＡとして何れの火災警報器ＴＲにも割り当てられていない特殊なビット列（例えば、すべてのビットを１としたビット列）を設定することで無線信号を同報（マルチキャスト）して全ての火災警報器ＴＲにメッセージを取得させることができる。例えば、火災警報メッセージを含む無線信号が親局ＴＲ１から全ての子局ＴＲ２，…に同報される。なお、制御部１は、非同期で無線信号を伝送しているときには１フレーム分の無線信号を１回の送信期間内で送信可能な数だけ連続して無線送受信部２から送信させるが、無線信号をＴＤＭＡ方式で送受信するときは１つのタイムスロットに複数フレーム分の無線信号を格納する必要はない。
【００３０】
次に、図３のタイムチャートを参照して、ＴＤＭＡ方式の無線通信に移行する際の本実施形態の送受信動作を説明する。
【００３１】
例えば、子局ＴＲ２において火災感知部４が火災を感知すると、子局ＴＲ２の制御部１は警報部５より警報音を鳴動させるとともに無線送受信部２を起動し、火災警報メッセージを含む無線信号を他の全ての火災警報器ＴＲ（親局ＴＲ１及び他の子局ＴＲ３，…）に宛てて送信する。この際、送信元の子局ＴＲ２の制御部１は、送信期間内で送信可能なフレーム数だけ無線信号を連続して送信し、送信期間後の休止期間（受信期間）には無線送受信部２を受信状態に切り換える。尚、各火災警報器ＴＲは非同期で間欠受信しているが、ある程度の回数（例えば、３回）の送信期間を繰り返せば、火災警報メッセージを含む無線信号を受信することができる。
【００３２】
ここで、特定小電力無線を利用すれば、無線通信距離としては通常の住宅ひとつのエリア内であれば十分カバーできるので、火災元の子局ＴＲ２が、他の火災警報器ＴＲ（親局ＴＲ１及び他の子局ＴＲ３，…）に対しメッセージを送信することは通常は十分可能である。しかしながら、上述したように親局ＴＲ１は各子局ＴＲ２〜ＴＲ５に対して定期監視を行っており、親局ＴＲ１と各子局ＴＲ３〜ＴＲ５との間では通信パスの正常性が確認されているが、子局ＴＲ２〜ＴＲ５間の通信パスは確認されていないため、例えば障害物などの影響によって、ある子局にはメッセージが届いていない可能性もある。
【００３３】
そこで、火災警報メッセージを受信した親局ＴＲ１の制御部１は、送信元の子局ＴＲ２を除く他の子局ＴＲ３〜ＴＲ５に対して火災警報メッセージを含む無線信号を複数回連続して送信する。他の子局ＴＲ３〜ＴＲ５の制御部１では、子局ＴＲ２又は親局ＴＲ１から送信された火災警報メッセージを受け取ると直ちに警報部５より警報音を鳴動させるとともに無線送受信部２より火災警報メッセージの受信を確認する応答メッセージ（ＡＣＫ）を無線信号によって返信する。尚、このように少なくとも１台の火災警報器ＴＲで火災が感知されることで全ての火災警報器ＴＲが火災警報を報知（警報音を鳴動）することを、以下では「火災連動」と呼ぶ。
【００３４】
親局ＴＲ１の制御部１は、他の全ての子局ＴＲ３〜ＴＲ５からＡＣＫを受け取れば、タイムスロットを規定するための同期信号を一定の周期で無線送受信部２から送信させる。尚、本実施形態では先頭のタイムスロットＴＳ１を子局ＴＲ２に、２番目のタイムスロットＴＳ２を子局ＴＲ３に、３番目のタイムスロットＴＳ３を子局ＴＲ４に、４番目のタイムスロットＴＳ４を子局ＴＲ５にそれぞれ割り当てている。
【００３５】
ここで、親局ＴＲ１は各子局ＴＲ２〜ＴＲ５に対して定期監視を行っており、親局ＴＲ１と各子局ＴＲ３〜ＴＲ５との間では通信パスの正常性が確認されているが、子局ＴＲ２〜ＴＲ５間の通信パスは確認されていない。したがって、子局ＴＲ２，…が多数配置された場合、子局ＴＲ２，…間の通信パスの数は非常に多くなる為、子局ＴＲ２，…間の通信パスの正常性の確認を行うと電池消耗が激しくなるので、上述のように特定の火災警報器ＴＲ１を親局とし、その他の火災警報器ＴＲ２，…を子局として親局ＴＲ１から各子局ＴＲ２，…に火災警報メッセージやその他のメッセージ（後述する）を通知することで相互に通信パスが確立できない子局が存在する場合でも確実に火災連動させることができるものである。
【００３６】
また、全ての火災警報器ＴＲが警報音を鳴動することにより連動が開始されると、上述のように親局ＴＲ１から一定周期で同期信号が送信されてＴＤＭＡ方式の通信に移行するのであるが、親局ＴＲ１の制御部１では、同期信号に含めることで火災警報メッセージを一定周期で全ての子局ＴＲ２，…に繰り返し送信している。そして、各子局ＴＲ２，…の制御部１では、親局ＴＲ１から送信される火災警報メッセージを受け取る度に警報部５の状態を確認し、仮に警報部５が停止していたとしたら警報部５に再度警報音を鳴動させる。したがって、全ての火災警報器ＴＲで火災警報が報知され始めてからは特定の火災警報器（親局）ＴＲ１が送信する同期信号によって規定される複数のタイムスロットに他の全ての火災警報器（子局）ＴＲ２，…を割り当てて時分割多元接続（ＴＤＭＡ）による無線通信を行うことで衝突を回避することができ、さらに、特定の火災警報器（親局）ＴＲ１から他の全ての火災警報器（子局）ＴＲ２，…に対して火災警報メッセージを同期信号に含めて周期的に送信することで確実に火災警報を報知することができる。その結果、無線信号の衝突を回避しつつ複数の火災警報器ＴＲを効果的に連動させることができる。
【００３７】
ところで、定期監視はほぼ１日に１回の頻度で行われているが、前記の定期監視で通信パスが正常であったとしても、何からの原因（新たなノイズ源の発生や突然の故障など）によって何れかの子局ＴＲ３〜ＴＲ５と親局ＴＲ１との通信パスが確立できないことがある。そこで親局ＴＲ１の制御部１では、何れかの子局ＴＲ３〜ＴＲ５（例えば、ＴＲ５）からＡＣＫを受け取らなかった場合に再度火災警報メッセージを含む無線信号を無線送受信部２から送信させ、当該子局ＴＲ５からＡＣＫを受け取った時点で無線送受信部２に同期信号を送信させるようにしている。但し、火災警報メッセージを所定の複数回数送信しても子局ＴＲ５からＡＣＫを受け取ることができなければ、親局ＴＲ１の制御部１は、火災警報メッセージの再送を中止して無線送受信部２に同期信号を送信させる。また、定期監視において通信パスが確立できなかったり、あるいは定期監視において電池切れ有りの通知メッセージを受け取った子局に対して、親局ＴＲ１の制御部１が上述した火災警報メッセージを含む無線信号の再送を行わないようにしたり、再送回数を減らしたり、あるいは当該子局からの応答メッセージを受け取ったか否かに関わらずに同期信号を送信させるようにしても構わない。但し、定期監視における通知メッセージによって故障有りの監視結果のみを通知してきた子局については、火災警報メッセージに対して警報部５から警報音を鳴動させることが可能である場合も考えられるので、親局ＴＲ１の制御部１が火災警報メッセージを含む無線信号の再送を行うことが望ましい。
【００３８】
ところで、本実施形態の火災警報システムは、何れの火災警報器ＴＲにおいても火災が検出されていない状態（待機状態）と、全ての火災警報器ＴＲが警報音を鳴動している状態（連動鳴動状態）と、後述するように火災を検出している（火元の）火災警報器ＴＲのみが警報音を鳴動し、火元以外の火災警報器ＴＲが警報音を停止している状態（連動停止状態）との間で動作状態を遷移させている。すなわち、待機状態において少なくとも何れか１台の火災警報器ＴＲで火災が検出されると、上述したように火元の子局ＴＲ２並びに親局ＴＲ１から他の全ての子局ＴＲ３，…に火災警報メッセージが送信されることで親局ＴＲ１と子局ＴＲ２，…を含む全ての火災警報器ＴＲで警報音が鳴動されて連動鳴動状態に遷移する。
【００３９】
そして、連動鳴動状態において何れかの火災警報器ＴＲの操作入力受付部６で警報音の鳴動を停止するための操作入力が受け付けられた場合、当該火災警報器ＴＲが親局ＴＲ１であれば親局ＴＲ１から全ての子局ＴＲ２，…に対して警報音の停止を要求するメッセージ（警報停止メッセージ）を送信することにより、あるいは、当該火災警報器ＴＲが子局ＴＲ２，…であれば当該子局ＴＲ２，…から警報停止メッセージを受け取った親局ＴＲ１が他の子局ＴＲ２，…に対して警報停止メッセージを送信することにより、火元以外の火災警報器ＴＲで警報音が停止されて連動停止状態に遷移する。但し、火元の火災警報器ＴＲの操作入力受付部６で警報音停止の操作入力が受け付けられた場合、当該火元の火災警報器ＴＲにおいても警報音を停止する。ここで、親局ＴＲ１の制御部１は図示しないメモリに親局ＴＲ１並びに各子局ＴＲ２，…毎の火災検出状況を随時更新しながら保持しており、後述するように全ての火災警報器ＴＲで火災が検出されなくなったときに火災連動状態から待機状態に遷移する。
【００４０】
また、連動鳴動状態から連動停止状態に遷移した場合、親局ＴＲ１の制御部１では所定の警報音停止時間（例えば、５分間）の限時を開始する。そして、警報音停止時間が経過したのち、親局ＴＲ１の制御部１はメモリに保持している火災検出状況を参照し、全ての火災警報器ＴＲで火災を検出していなければ、同期信号によって復旧通知のメッセージを送信することで火災連動状態から待機状態に遷移し、仮に少なくとも１台の火災警報器ＴＲで火災を検出していれば、同期信号によって火災警報メッセージを送信することで連動停止状態から連動鳴動状態へ遷移させる。尚、連動停止状態において何れかの火災警報器ＴＲが新たに火災を検出した場合にも親局ＴＲ１の制御部１が同期信号によって火災警報メッセージを送信することで連動停止状態から連動鳴動状態へ遷移させる。
【００４１】
例えば、図４のタイムチャートに示すように、親局ＴＲ１を火元とする火災連動状態（連動鳴動状態）において、火元でない子局ＴＲ４の操作入力受付部６で警報音停止の操作入力が受け付けられることで当該子局ＴＲ４から警報停止メッセージが送信されると、警報停止メッセージを受け取った親局ＴＲ１の制御部１は同期信号によって警報停止メッセージＭ２を送信しつつ警報音停止時間の限時を行う。但し、火元である親局ＴＲ１では警報部５による警報音の鳴動は継続される。そして、警報音停止時間が経過したのち、親局ＴＲ１の制御部１は自らの火災感知部４による火災検出状況並びに子局ＴＲ２，…おける火災検出状況を確認し、少なくとも何れか１台の火災警報器ＴＲが火災を検出しているときは再度火災警報メッセージを同期信号により各子局ＴＲ２，…に送信することで連動停止状態から連動鳴動状態へ遷移させる。
【００４２】
一方、図５のタイムチャートに示すように、警報音停止時間内に火災が鎮火して火災感知部４が火災を検出しなくなっていれば、親局ＴＲ１の制御部１は警報音停止時間が経過したのちに同期信号によって各子局ＴＲ２，…に復旧通知メッセージを送信し、全ての子局ＴＲ２，…から返信されるＡＣＫを受け取った時点で連動停止状態から待機状態に遷移し、同期信号の送信を停止することでＴＤＭＡ方式による無線通信（以下、「同期通信」と呼ぶ。）から間欠送信・間欠受信による無線通信（以下、「非同期通信」と呼ぶ。）に戻る。
【００４３】
また、図６のタイムチャートに示すように、子局ＴＲ４を火元とする連動鳴動状態において、火元の火災が鎮火して子局ＴＲ４の火災感知部４が火災を検出しなくなれば、子局ＴＲ４から親局ＴＲ１に宛てて復旧通知メッセージが送信される。当該復旧通知メッセージを受け取った親局ＴＲ１の制御部１はメモリに保持している火災検出状況を参照し、全ての火災警報器ＴＲで火災を検出していなければ同期信号によって復旧通知メッセージＭ３を各子局ＴＲ２，…に送信する。そして、全ての子局ＴＲ２，…から返信されるＡＣＫを親局ＴＲ１の制御部１が受け取れば、連動停止状態から待機状態に遷移し、同期信号の送信を停止することで同期通信から非同期通信に戻る。
【００４４】
一方、図７のタイムチャートに示すように、新たに別の火災警報器（例えば、子局ＴＲ３）で火災が検出された場合、初めの火元である子局ＴＲ４から復旧通知メッセージを受け取った親局ＴＲ１の制御部１は、メモリに保持している火災検出状況を参照し、子局ＴＲ３が火災検出中であることから復旧通知メッセージを送信せず、引き続き火災警報メッセージを送信することで火災連動状態を維持する。
【００４５】
ここで、火災連動状態における親局ＴＲ１の制御部１が行う処理について、図８のフローチャートを参照して簡単にまとめる。待機状態において何れかの子局ＴＲ２，…から火災警報メッセージを受け取ると（ステップＳ１）、親局ＴＲ１の制御部１は図示しないメモリに各子局ＴＲ２，…毎に保持している火災検出状況を更新（火災非検出から火災検出へ変更）し（ステップＳ２）、一方、火元の子局ＴＲ２，…から復旧通知メッセージを受け取れば（ステップＳ３）、当該子局ＴＲ２，…の火災検出状況を火災検出から火災非検出に更新する（ステップＳ４）。火災連動状態において何れの子局ＴＲ２，…からも復旧通知メッセージを受け取っていないときに何れかの子局ＴＲ２，…から警報停止メッセージを受け取った場合（ステップＳ５）、親局ＴＲ１の制御部１は警報を停止することを決定して無線送受信部２から警報停止メッセージを含む同期信号を送信させる（ステップＳ６）。また、連動鳴動状態から連動停止状態へ遷移してから警報音停止時間が経過するまでの間は同期信号によって定期的に警報停止メッセージを送信し（ステップＳ７，Ｓ８，Ｓ６）、警報音停止時間が経過したら（ステップＳ８）、メモリに保持している火災検出状況を参照して火災検出中の火災警報器（親局ＴＲ１及び子局ＴＲ２，…）が残っているか否かを判断し（ステップＳ９）、１台でも火災検出中の火災警報器が残っていれば火災連動の継続を決定して無線送受信部２から火災警報メッセージを含む同期信号を送信させ（ステップＳ１０）、一方、全ての火災警報器が火災非検出になっていれば火災連動状態から待機状態への復旧を決定して無線送受信部２から復旧通知メッセージを含む同期信号を送信させる（ステップＳ１１）。
【００４６】
ここで、何れかの子局ＴＲ２，…が復旧通知メッセージに対してＡＣＫを返信しなかった場合、親局ＴＲ１の制御部１は、再度復旧通知メッセージを含む無線信号を無線送受信部２から送信させ、当該子局ＴＲ２，…からＡＣＫを受け取った時点、若しくは復旧通知メッセージを所定の複数回数再送してから一定時間が経過した時点で無線送受信部２に同期信号の送信を停止させることが望ましい。また、連動鳴動状態若しくは連動停止状態において親局ＴＲ１が故障して同期信号が送信されなくなった場合、子局ＴＲ２，…の無線送受信部２が同期信号を受信するために受信状態のままとなって電池が著しく消耗してしまう虞があるので、子局ＴＲ２，…の制御部１では、同期信号が受信できない期間が所定時間（例えば、同期信号の数周期分の時間）以上継続したときに送受信部２を休止（同期通信から非同期通信に復帰）させて電池の消耗を抑えることが望ましい。
【００４７】
而して、本実施形態によれば、何れの火災警報器ＴＲでも火災が感知されていないときは各火災警報器ＴＲが非同期で無線信号を伝送し、何れかの火災警報器ＴＲで火災が感知されて他の火災警報器ＴＲに火災発生が通知されると特定の火災警報器（親局）ＴＲ１が一定周期の同期信号を送信し、当該同期信号によって規定されるタイムスロットに各火災警報器（子局）ＴＲ２，…が割り当てられて同期通信するので、火災が発生していないために無線信号を伝送する頻度が少ないときは非同期通信することにより電力消費を抑えて電池寿命を延ばし、何れかの火災警報器ＴＲで火災が感知されたとき、つまり、無線信号を伝送する頻度が相対的に高くなったときには同期通信することで衝突を回避して情報伝送の遅延を減らすことができる。しかも、非同期通信と同期通信との切り換え時に特定の火災警報器（親局）ＴＲ１を除く他の火災警報器（子局）ＴＲ２，…から特定の火災警報器（親局）ＴＲ１に対して無線信号の受信を確認するための応答メッセージを返信しているため、全ての火災警報器ＴＲにおいて確実に非同期通信と同期通信との切り換えが行われるという利点がある。
【符号の説明】
【００４８】
ＴＲ１  火災警報器（親局）
ＴＲ２  火災警報器（子局）
１  制御部（制御手段）
２  無線送受信部（受信手段，送信手段）
４  火災感知部（火災感知手段）
５  警報部（警報手段）
６  操作入力受付部（操作入力受付手段）
【図１】
0005391321.tif 000002
【図２】
0005391321.tif 000003
【図３】
0005391321.tif 000004
【図４】
0005391321.tif 000005
【図５】
0005391321.tif 000006
【図６】
0005391321.tif 000007
【図７】
0005391321.tif 000008
【図８】
0005391321.tif 000009